(57)【要約】【課題】端末装置に表示されるホーム画面を復元する際に復元感の向上を図ること。【解決手段】端末装置は、ホーム画面を表示する表示部と、端末装置の利用態様を示す利用態様情報を取得する利用態様取得部と、端末装置のホーム画面の画面構成情報が、端末装置の利用態様毎に記憶される記憶部から、利用態様取得部が取得する利用態様情報に応じた画面構成情報を取得する画面構成取得部と、アプリケーションのアイコンのホーム画面上の位置を、画面構成取得部が取得する画面構成情報が示す位置にしてホーム画面を構成するホーム画面構成部とを備える。【選択図】図３
2017049926.tif 000002
【特許請求の範囲】
【請求項１】
ホーム画面を表示する表示部と、
端末装置の利用態様を示す利用態様情報を取得する利用態様取得部と、
端末装置のホーム画面の画面構成情報が、端末装置の利用態様毎に記憶される記憶部から、前記利用態様取得部が取得する前記利用態様情報に応じた前記画面構成情報を取得する画面構成取得部と、
アプリケーションのアイコンのホーム画面上の位置を、前記画面構成取得部が取得する前記画面構成情報が示す位置にしてホーム画面を構成するホーム画面構成部と
を備える端末装置。
【請求項２】
端末装置にインストールされているアプリケーションのアイコンの前記ホーム画面上の位置を示すアイコン位置情報を含む記録データであって、前記アイコン位置情報が互いに異なる複数の記録データのうちから、ある記録データの選択操作を受付ける操作受付部
を更に備え、
前記ホーム画面構成部は、
前記複数の記録データのうち、前記操作受付部が受け付けた前記選択操作が示す記録データに含まれる前記アイコン位置情報に基づいて、アプリケーションのアイコンを前記ホーム画面上の位置に配置する
請求項１に記載の端末装置。
【請求項３】
前記利用態様情報とは、自端末装置と他の端末装置との間の通信において自端末装置を示す識別情報に基づく情報であり、
前記利用態様取得部は、前記識別情報に基づく前記利用態様情報を取得する
請求項１又は請求項２に記載の端末装置。
【請求項４】
前記利用態様情報とは、自端末装置の位置を示す位置情報に基づく情報であり、
自端末装置の位置に基づいて、端末装置の利用態様を判定する利用態様判定部
を更に備え、
前記利用態様取得部は、
前記利用態様判定部が判定した利用態様を示す利用態様情報を取得する
請求項１から請求項３のいずれか一項に記載の端末装置。
【請求項５】
前記ホーム画面構成部は、
前記利用態様のうちの第１の利用態様において、アプリケーションが利用可能であるか否かに基づいて、当該アプリケーションのアイコンの表示態様を変更してホーム画面を構成する
請求項１から請求項４のいずれか一項に記載の端末装置。
【請求項６】
前記表示態様には、
前記アイコンの画像の透過度、前記アイコンの画像の形状、及び前記アイコンの画像の色が含まれる
請求項５に記載の端末装置。
【発明の詳細な説明】
【技術分野】
【０００１】
本発明は、端末装置に関する。
【背景技術】
【０００２】
従来、アプリケーションを起動するためのアイコンを画面上に配置する技術として、例えば特許文献１が知られている。この従来技術では、利用者がコンテンツ情報提供事業者の識別情報をアイコン生成装置に送信しコンテンツ情報を取得した後、そのコンテンツ情報にかかるＷｅｂサイトにアクセスするためのアイコン情報を受け取り、それに基づいてアイコンを画面上に配置する。
【先行技術文献】
【特許文献】
【０００３】
【特許文献１】特開２００１−３４４０５２号公報
【発明の概要】
【発明が解決しようとする課題】
【０００４】
しかし、上述した従来のアイコン配置技術では、表示されるアイコンの構成を変更することまではできず、利用者の利便性を向上することが困難である場合があった。
【０００５】
本発明は、このような事情を考慮してなされたものであり、端末装置に表示されるアイコンの構成を変更することにより、利用者の利便性を向上することができる端末装置を提供することを課題とする。
【課題を解決するための手段】
【０００６】
（１）本発明の一態様は、ホーム画面を表示する表示部と、端末装置の利用態様を示す利用態様情報を取得する利用態様取得部と、端末装置のホーム画面の画面構成情報が、端末装置の利用態様毎に記憶される記憶部から、前記利用態様取得部が取得する前記利用態様情報に応じた前記画面構成情報を取得する画面構成取得部と、アプリケーションのアイコンのホーム画面上の位置を、前記画面構成取得部が取得する前記画面構成情報が示す位置にしてホーム画面を構成するホーム画面構成部とを備える端末装置である。
【０００７】
（２）本発明の一態様は、上記（１）の端末装置において、端末装置にインストールされているアプリケーションのアイコンの前記ホーム画面上の位置を示すアイコン位置情報を含む記録データであって、前記アイコン位置情報が互いに異なる複数の記録データのうちから、ある記録データの選択操作を受付ける操作受付部を更に備え、前記ホーム画面構成部は、前記複数の記録データのうち、前記操作受付部が受け付けた前記選択操作が示す記録データに含まれる前記アイコン位置情報に基づいて、アプリケーションのアイコンを前記ホーム画面上の位置に配置する端末装置である。
【０００８】
（３）本発明の一態様は、上記（１）又は（２）のいずれかの端末装置において、前記利用態様情報とは、自端末装置と他の端末装置との間の通信において自端末装置を示す識別情報に基づく情報であり、前記利用態様取得部は、前記識別情報に基づく前記利用態様情報を取得する端末装置である。
【０００９】
（４）本発明の一態様は、上記（１）から（３）のいずれかの端末装置において、前記利用態様情報とは、自端末装置の位置を示す位置情報に基づく情報であり、自端末装置の位置に基づいて、端末装置の利用態様を判定する利用態様判定部を更に備え、前記利用態様取得部は、前記利用態様判定部が判定した利用態様を示す利用態様情報を取得する端末装置である。
【００１０】
（５）本発明の一態様は、上記（１）から（４）のいずれかの端末装置において、前記ホーム画面構成部は、前記利用態様のうちの第１の利用態様において、アプリケーションが利用可能であるか否かに基づいて、当該アプリケーションのアイコンの表示態様を変更してホーム画面を構成する端末装置である。
【００１１】
（６）本発明の一態様は、上記（１）から（５）のいずれかの端末装置において、前記表示態様には、前記アイコンの画像の透過度、前記アイコンの画像の形状、及び前記アイコンの画像の色が含まれる端末装置である。
【発明の効果】
【００１２】
本発明によれば、端末装置に表示されるアイコンの配置を変更することにより、利用者の利便性を向上する効果が得られる。
【図面の簡単な説明】
【００１３】
【図１】本発明の一実施形態に係る通信システムの例を示す構成図である。
【図２】本発明の一実施形態に係る端末装置１を示す構成図である。
【図３】図２に示す制御部１１の機能構成図である。
【図４】図２に示す記憶部１２の記憶構成例を示す図である。
【図５】本発明の一実施形態に係るホーム画面復元方法のフローチャートである。
【図６】本発明の一実施形態に係る端末装置１の表示画面１００に表示される選択画面ＤＬＧ１の一例を示す図である。
【図７】本発明の一実施形態に係るホーム画面構成情報記録データ４０ａの構成例を示す図表である。
【図８】本発明の一実施形態に係るホーム画面構成情報記録データ４０ｂの構成例を示す図表である。
【図９】本発明の一実施形態に係るホーム画面構成情報記録データ４０を説明するための図である。
【図１０】本発明の一実施形態に係る利用態様判定部２８による端末装置１の利用態様の判定の第１の変形例を示す図である。
【図１１】本発明の一実施形態に係る利用態様判定部２８による端末装置１の利用態様の判定の第２の変形例を示す図である。
【発明を実施するための形態】
【００１４】
以下、図面を参照し、本発明の実施形態について説明する。
図１は、本発明の一実施形態に係る通信システムの例を示す構成図である。図１において、端末装置１は、無線通信ネットワーク２を介して他の装置と通信を行う。端末装置１は、無線通信ネットワーク２を介して、無線通信ネットワーク２に接続される利用者情報管理サーバ３及び第１アプリケーション提供サーバ４にアクセスする。無線通信ネットワーク２は通信回線を介してインターネット６と接続する。端末装置１は、無線通信ネットワーク２を介して、インターネット６に接続される第２アプリケーション提供サーバ５にアクセスする。
【００１５】
なお、利用者情報管理サーバ３、第１アプリケーション提供サーバ４及び第２アプリケーション提供サーバ５は、端末装置１から無線通信ネットワーク２を介してアクセスすることができればよく、上記の図１の構成に限定されない。例えば、利用者情報管理サーバ３、第１アプリケーション提供サーバ４及び第２アプリケーション提供サーバ５のうち、全てが無線通信ネットワーク２に接続されていてもよく、又は、全てがインターネット６に接続されていてもよく、又は、いずれか一つ若しくは二つが無線通信ネットワーク２に接続され残りがインターネット６に接続されていてもよい。
【００１６】
図２は、本発明の一実施形態に係る端末装置１を示す構成図である。図１において、端末装置１は、制御部１１と記憶部１２と通信部１３と操作部１４と表示部１５と接続部１６を備える。これら各部はデータを交換できるように構成される。制御部１１は、メモリ及びＣＰＵ（中央処理装置）を備え、制御部１１の機能を実現するためのコンピュータプログラムをＣＰＵが実行することによりその機能を実現させる。
【００１７】
記憶部１２は、制御部１１のＣＰＵで実行されるコンピュータプログラム及び各種のデータを記憶する。記憶部１２としては、例えば、ハードディスク装置、フラッシュメモリ等の不揮発性のメモリ、ＤＲＡＭ（Dynamic Random Access Memory）等の揮発性のメモリなどが利用可能である。
【００１８】
通信部１３は、無線通信ネットワーク２を介して、端末装置１の外部の装置と通信を行う。操作部１４は、入力デバイスから構成され、利用者の操作に応じたデータ入力を行う。入力デバイスとして、例えば、キーボード、テンキー、マウス、操作ボタンなどが挙げられる。表示部１５は、液晶表示装置等の表示デバイスから構成され、データ表示を行う。なお、表示部１５として、データ入力とデータ表示の両方が可能なタッチパネルを備えてもよい。
【００１９】
接続部１６は、記録媒体１７と接続する。接続部１６は、記録媒体１７を着脱可能に構成される。接続部１６は、自己に接続された記録媒体１７からデータを読み出す。また、接続部１６は、自己に接続された記録媒体１７に対してデータを書き込む。記録媒体１７として、例えば、ＳＤカード等の着脱可能なメモリカードなどが利用可能である。
【００２０】
端末装置１としては、例えば、スマートフォン等の携帯通信端末装置、タブレット型のコンピュータ（タブレットＰＣ）等の携帯型のパーソナルコンピュータなどであってもよい。
【００２１】
図３は、図２に示す制御部１１の機能構成図である。図３において、制御部１１は、ホーム画面変更部２０、記録データ記憶制御部２３、アプリケーション起動部２４、アプリケーションインストール部２５、表示制御部２６、利用態様取得部２７、利用態様判定部２８などを備える。ホーム画面変更部２０は、ホーム画面構成部２１及び記録データ取得部２２を備える。これら制御部１１の機能は、記憶部１２に記憶されているコンピュータプログラムを制御部１１のＣＰＵが実行することにより実現される。
【００２２】
図４は、図２に示す記憶部１２の記憶構成例を示す図である。図４において、記憶部１２は、ＯＳ（Operating System：オペレーティングシステム）３１と制御プログラム３２とアプリケーションプログラム３３とデータファイル３４を記憶する。ＯＳ３１と制御プログラム３２とアプリケーションプログラム３３は、制御部１１のＣＰＵで実行されるコンピュータプログラムである。アプリケーションプログラム３３として、ホーム画面変更アプリケーション３３ａ及び記録データ記憶制御アプリケーション３３ｂなどがある。また、アプリケーションプログラム３３として、例えば、ＳＮＳ（Social Networking Service）アプリケーション、電子メールアプリケーション、Ｗｅｂ（ウェブ）ブラウザアプリケーション、画像管理アプリケーション、ゲームアプリケーションなどのコンピュータプログラムが挙げられる。
【００２３】
データファイル３４は複数あってもよい。データファイル３４としては、例えば、テキストデータファイル、音声データファイル、画像（静止画像又は動画像）データファイル、個人データファイル、ＵＲＬ（Uniform Resource Locator）データファイルなどが挙げられる。
【００２４】
次に、図５等を参照して、本実施形態に係る端末装置１の動作を説明する。
【００２５】
はじめに図５を参照して、本実施形態の端末装置１のホーム画面変更に係る動作の全体の流れを説明する。図５は、本実施形態に係るホーム画面変更方法のフローチャートである。
【００２６】
（ステップＳ１０）アプリケーション起動部２４が、ホーム画面変更アプリケーション３３ａを起動する。ホーム画面変更アプリケーション３３ａが起動されて制御部１１のＣＰＵにより実行されることにより、ホーム画面変更部２０の機能が実現される。アプリケーション起動部２４がホーム画面変更アプリケーション３３ａを起動するタイミングは、予め定めることができる。例えば、アプリケーション起動部２４は、端末装置１がスリープ状態から復帰するタイミングで、ホーム画面変更アプリケーション３３ａを起動してもよい。端末装置１のスリープ状態からの復帰は、利用者が端末装置１を使い始める時などに実行される。なお、アプリケーション起動部２４は、利用者の所定の操作に応じて、ホーム画面変更アプリケーション３３ａを起動してもよい。また、アプリケーション起動部２４は、端末装置１の位置が変化したことに応じて、ホーム画面変更アプリケーション３３ａを起動してもよい。端末装置１の位置は、ＧＰＳ（Global Positioning System）や、無線通信の電波を受信することで特定することができる。
【００２７】
（ステップＳ２０）利用態様取得部２７が、端末装置１の利用態様を示す利用態様情報を取得する。端末装置１の利用態様には、例えば、ビジネスでの利用や、プライベートでの利用がある。
（ステップＳ３０）利用態様判定部２８が、利用態様取得部２７が取得した利用態様情報に基づいて、端末装置１の利用態様を判定する。利用態様判定部２８は、種々の方法により端末装置１の利用態様を判定可能である。
【００２８】
一例として、端末装置１が２つ以上の端末識別情報を有している場合がある。ここで、端末識別情報とは、例えば、電話番号やＭＡＣアドレス、利用者ＩＤなどである。端末装置１の２つの端末識別情報のうち、一方の端末識別情報がビジネスでの利用に用いられ、他方の端末識別情報がプライベートでの利用に用いられている場合がある。この場合には、利用態様取得部２７は、いずれの端末識別情報が利用されているかを示す情報を、端末装置１の利用態様として取得する。利用態様判定部２８は、利用されている端末識別情報がビジネス用であるかプライベート用であるかによって、端末装置１の利用態様を判定する。
【００２９】
他の一例として、利用態様判定部２８が、利用者の操作に基づいて、端末装置１の利用態様を判定する場合について、図６を参照して説明する。図６は、端末装置１の表示画面１００に表示される選択画面ＤＬＧ１の一例を示す図である。
【００３０】
図６において、端末装置１は、表示画面１００を備える。表示画面１００は、例えばタッチパネルの表示画面である。端末装置１の表示画面１００には、選択画面ＤＬＧ１が表示される。選択画面ＤＬＧ１には、ビジネスを示すボタン画像ＰＢ１と、プライベートを示すボタン画像ＰＢ２とが表示される。この一例の場合、利用態様取得部２７は、ボタン画像ＰＢ１及びボタン画像ＰＢ２のうち、利用者が操作したボタン画像を示す操作情報を取得する。
【００３１】
ステップＳ３０の結果、ビジネスでの利用と判定した場合にはステップＳ４０に進む。一方、ステップＳ３０の結果、プライベートでの利用と判定した場合にはステップＳ５０に進む。
【００３２】
ここで、図７から図９を参照してホーム画面構成情報記録データを説明する。図７は、本実施形態に係るホーム画面構成情報記録データ４０ａの構成例を示す図表である。ホーム画面構成情報記録データ４０ａは、端末装置１のホーム画面のうち、ビジネス用の画面構成情報の記録データである。図８は、本実施形態に係るホーム画面構成情報記録データ４０ｂの構成例を示す図表である。ホーム画面構成情報記録データ４０ｂは、端末装置１のホーム画面のうち、プライベート用の画面構成情報の記録データである。以下の説明において、ホーム画面構成情報記録データ４０ａと、ホーム画面構成情報記録データ４０ｂとを区別しない場合には、ホーム画面構成情報記録データ４０と総称する。
【００３３】
図９は、本実施形態に係るホーム画面構成情報記録データ４０を説明するための図である。端末装置１の表示画面１００には、ホーム画面が表示される。ビジネス用のホーム画面１１０ａを図９（Ａ）に示す。プライベート用のホーム画面１１０ｂを図９（Ｂ）に示す。以下の説明において、ビジネス用のホーム画面１１０ａと、プライベート用のホーム画面１１０ｂとを区別しない場合には、ホーム画面１１０と総称する。
ホーム画面１１０は、一つ又は複数の画面から構成される。ホーム画面１１０が複数の画面から構成される場合、ホーム画面１１０を構成する各画面は、画面スクロールによって、表示画面１００に表示される。
【００３４】
ホーム画面構成情報記録データ４０は、端末装置１の各アプリケーションのアイコンＧのホーム画面１１０における位置を示すアイコン位置情報を含む。また、ホーム画面構成情報記録データ４０は、アイコンＧの画像を示すアイコン画像データを含む。図９において、ホーム画面構成情報記録データ４０は、アイコンＧ毎に、アイコンＧのアイコン位置情報と、アイコンＧの画像データ（アイコン画像データ）と、アイコンＧに対応付けられているアプリケーションの識別情報（アプリケーションＩＤ）を有する。
【００３５】
ビジネス用のホーム画面１１０ａは、ホーム画面構成情報記録データ４０ａに含まれるアイコン位置情報及びアイコン画像データに基づいて構成される。プライベート用のホーム画面１１０ｂは、ホーム画面構成情報記録データ４０ｂに含まれるアイコン位置情報及びアイコン画像データに基づいて構成される。
【００３６】
端末装置１の各アプリケーションには、ビジネスやプライベートを問わず利用できるものと、ビジネスの利用には向かないものと、プライベートの利用には向かないものとがある。例えば、ＷＷＷブラウザなどのアプリケーションは、ビジネスやプライベートを問わず利用できる場合がある。また、ＳＮＳ（social networking service）に対する情報投稿や、カメラなどのアプリケーションは、企業における就業時間内または執務室内での使用が禁止されている場合がある。また、企業内のイントラネット接続用などのアプリケーションは、プライベートで利用する機会がほとんどない。
ここで、ホーム画面１１０には、利用頻度が高いアプリケーションのアイコンＧが配置される。しかしながら、ビジネスでの利用頻度が高いアプリケーションのアイコンＧと、プライベートでの利用頻度が高いアプリケーションのアイコンＧとが、同時にホーム画面１１０に配置されると、ホーム画面１１０が煩雑になる。
端末装置１は、利用態様毎にホーム画面１１０を切り換えるため、ホーム画面１１０が煩雑になる程度を低減することができる。
【００３７】
一例として、アプリケーションＩＤ＿５、及びアプリケーションＩＤ＿６が、プライベートでの利用に向かないアプリケーションである。アプリケーションＩＤ＿７、及びアプリケーションＩＤ＿８が、ビジネスでの利用に向かないアプリケーションである。この例の場合、ビジネスで利用されるホーム画面１１０ａにおいては、アプリケーションＩＤ＿７、及びアプリケーションＩＤ＿８のアイコンＧは、他のアイコンＧと判別ができるように表示される。例えば、ホーム画面１１０ａにおいては、アプリケーションＩＤ＿７、及びアプリケーションＩＤ＿８のアイコンＧは、透過度や形状、色が他のアイコンＧと判別できるように変更される。具体的には、ホーム画面１１０ａにおいては、アプリケーションＩＤ＿７のアイコンＧは、アイコン画像データの画像７ａに基づいて表示される。また、ホーム画面１１０ａにおいては、アプリケーションＩＤ＿８のアイコンＧは、アイコン画像データの画像８ａに基づいて表示される。ここで、画像７ａが、上述した画像７を半透明にした画像である場合には、アプリケーションＩＤ＿７について、ホーム画面１１０ａにおいては、半透明のアイコンＧが表示される。また、画像８ａが、上述した画像８を半透明にした画像である場合には、アプリケーションＩＤ＿８について、ホーム画面１１０ａにおいては、半透明のアイコンＧが表示される。
また、プライベートで利用されるホーム画面１１０ｂにおいては、アプリケーションＩＤ＿５、及びアプリケーションＩＤ＿６のアイコンＧは、他のアイコンＧと判別ができるように表示される。例えば、ホーム画面１１０ｂにおいては、アプリケーションＩＤ＿５、及びアプリケーションＩＤ＿６のアイコンＧは、透過度や形状、色が他のアイコンＧと判別できるように変更される。具体的には、ホーム画面１１０ｂにおいては、アプリケーションＩＤ＿５のアイコンＧは、アイコン画像データの画像５ａに基づいて表示される。また、ホーム画面１１０ａにおいては、アプリケーションＩＤ＿６のアイコンＧは、アイコン画像データの画像６ａに基づいて表示される。ここで、画像５ａが、上述した画像５を半透明にした画像である場合には、アプリケーションＩＤ＿５について、ホーム画面１１０ｂにおいては、半透明のアイコンＧが表示される。また、画像６ａが、上述した画像６を半透明にした画像である場合には、アプリケーションＩＤ＿６について、ホーム画面１１０ｂにおいては、半透明のアイコンＧが表示される。
なお、図９（Ａ）及び図９（Ｂ）においては、半透明のアイコンＧを網掛けによって示す。
【００３８】
すなわち、端末装置１は、利用できないアプリケーションのアイコンＧの表示態様と、利用可能なアプリケーションのアイコンＧの表示態様とを変えてホーム画面１１０を構成する。このように構成することにより、端末装置１は、ある利用態様では利用できないアプリケーションであっても、他の利用態様では利用可能なアプリケーションであることを、利用者に示すことができる。つまり、端末装置１は、利用者の利便性を向上することができる。
【００３９】
なお、ホーム画面構成情報記録データ４０は、自動的に又は端末装置１の利用者の所定の操作に応じて記録される。端末装置１においては、記録データ記憶制御部２３が、端末装置１のホーム画面の画面構成情報を記録する機能を有する。記録データ記憶制御部２３は、所定のタイミングで端末装置１のホーム画面の画面構成情報を記録する。例えば、記録データ記憶制御部２３は、定期的に端末装置１のホーム画面の画面構成情報を記録してもよい。なお、記録データ記憶制御部２３は、利用者の所定の操作に応じて、端末装置１のホーム画面の画面構成情報を記録してもよい。
【００４０】
説明を図５に戻す。
（ステップＳ４０）記録データ取得部２２が、図７に例示されるホーム画面構成情報記録データ４０ａを取得する。ホーム画面構成部２１は、記録データ取得部２２が取得したホーム画面構成情報記録データ４０ａを使用して、端末装置１のホーム画面１１０ａを構成する。
（ステップＳ５０）記録データ取得部２２が、図８に例示されるホーム画面構成情報記録データ４０ｂを取得する。ホーム画面構成部２１は、記録データ取得部２２が取得したホーム画面構成情報記録データ４０ｂを使用して、端末装置１のホーム画面１１０ｂを構成する。
なお、記録データ取得部２２とは、画面構成取得部の一例である。
【００４１】
ホーム画面構成情報記録データ４０は、利用者情報管理サーバ３に格納されたり、又は、記録媒体１７に格納されたりする。利用者情報管理サーバ３は、利用者識別情報（利用者ＩＤ）に関連付けてホーム画面構成情報記録データ４０を格納する。端末装置１の記録データ取得部２２は、利用者情報管理サーバ３からホーム画面構成情報記録データ４０を取得する場合、利用者情報管理サーバ３へ利用者ＩＤを送信し、該利用者ＩＤに関連付けられているホーム画面構成情報記録データ４０を利用者情報管理サーバ３から受信する。記録データ取得部２２が利用者情報管理サーバ３へ送信する利用者ＩＤは、予め、端末装置１に設定されたり、又は、記録媒体１７に格納されたりする。なお、記録データ取得部２２が利用者情報管理サーバ３へ送信する利用者ＩＤは、ホーム画面構成情報記録データ４０を取得する際に、利用者が入力してもよい。
【００４２】
また、記録データ取得部２２は、端末装置１の接続部１６に接続された記録媒体１７からホーム画面構成情報記録データ４０を取得する場合、接続部１６により該記録媒体１７からホーム画面構成情報記録データ４０を読み出す。
【００４３】
（ステップＳ６０）端末装置１の表示部１５は、ホーム画面構成部２１が構成したホーム画面を自己の表示画面に表示する。
【００４４】
［変形例］
利用態様判定部２８による端末装置１の利用態様の判定の変形例について図１０及び図１１を参照して説明する。図１０は、利用態様判定部２８による端末装置１の利用態様の判定の第１の変形例を示す図である。この変形例においては、利用態様判定部２８は、端末装置１の位置に基づいて、端末装置１の利用態様を判定する。端末装置１の位置は、ＧＰＳ（Global Positioning System）や、無線通信の電波を受信することで特定することができる。具体的には、図１０に示すように、端末装置１が、利用者の自宅ＨＭの周辺の領域ＡＲ１にある場合には、利用態様判定部２８は、プライベートでの利用と判定する。また、端末装置１が、利用者の勤務先の建物ＢＬの周辺の領域ＡＲ２にある場合には、利用態様判定部２８は、ビジネスでの利用と判定する。
なお、建物ＢＬには、近距離無線通信設備が設置されていることがある。この近距離無線通信設備が建物ＢＬの部屋ごとに設置されている場合には、利用態様判定部２８は、端末装置１がどの近距離無線通信設備から電波を受信しているかによって、利用態様を判定してもよい。例えば、利用者の自席がある部屋に設置されている近距離無線通信設備から電波を受信している場合には、利用態様判定部２８は、利用態様をビジネス（自席）での利用と判定する。また、会議室に設置されている近距離無線通信設備から電波を受信している場合には、利用態様判定部２８は、利用態様をビジネス（会議室）での利用と判定する。
このように構成することによっても、端末装置１は、利用態様毎にホーム画面１１０を切り換えるため、ホーム画面１１０が煩雑になる程度を低減することができる。また、端末装置１は、より細かく利用態様を判定することができるため、利用態様に即したアイコンＧをホーム画面１１０に配置することができ、利便性を向上することができる。
【００４５】
図１１は、利用態様判定部２８による端末装置１の利用態様の判定の第２の変形例を示す図である。この変形例においては、利用態様判定部２８は、時刻に基づいて、端末装置１の利用態様を判定する。具体的には、図１１に示すように、時刻０：００から時刻９：００及び時刻１７：００から時刻２４：００の場合には、利用態様判定部２８は、プライベートでの利用と判定する。また、時刻９：００から時刻１７：００の場合には、利用態様判定部２８は、ビジネスでの利用と判定する。
また、利用態様判定部２８は、時刻をさらに細分化して判定してもよい。例えば、時刻８：００から時刻９：００が通勤時間帯である場合には、通勤時間帯に適するアプリケーションのアイコンＧを配置すれば、利便性がより向上する。通勤時間帯に適するアプリケーションとは、例えば、新聞閲覧アプリケーションや、英会話などの学習アプリケーションである。この場合には、利用態様判定部２８は、時刻０：００から時刻８：００までの利用態様をプライベート１として判定し、時刻８：００から時刻９：００までの利用態様をプライベート２として判定する。
また、例えば、時刻１２：００から時刻１３：００が昼休みの時間帯である場合には、昼休みの時間帯に適するアプリケーションのアイコンＧを配置すれば、利便性がより向上する。昼休みの時間帯に適するアプリケーションとは、例えば、飲食店舗を検索するアプリケーションである。この場合には、利用態様判定部２８は、時刻９：００から時刻１２：００までの利用態様をビジネス１として判定し、時刻１２：００から時刻１３：００までの利用態様をビジネス２として判定する。
【００４６】
以上、本発明の実施形態について図面を参照して詳述してきたが、具体的な構成はこの実施形態に限られるものではなく、本発明の要旨を逸脱しない範囲の設計変更等も含まれる。
【００４７】
例えば、上述の実施形態では、端末装置１は、無線通信ネットワーク２を介して他の装置と通信を行うが、これに限定されない。端末装置１は、無線又は有線の通信ネットワークを介して他の装置と通信を行うものであってもよい。この場合、端末装置１は、無線又は有線の通信ネットワークを介して、利用者情報管理サーバ３、第１アプリケーション提供サーバ４及び第２アプリケーション提供サーバ５にアクセスする。
【００４８】
また、上述の実施形態では、ホーム画面構成情報記録データ４０はアイコン画像データを含むが、アイコン画像データをホーム画面構成情報記録データ４０に含めず、端末装置１がアプリケーションＩＤに基づいてアイコン画像データを取得してもよい。例えば、端末装置１は、第１アプリケーション提供サーバ４又は第２アプリケーション提供サーバ５からアイコン画像データを取得してもよい。又は、端末装置１が、予め、アイコン画像データを初期データファイルに保持してもよい。
【００４９】
また、上述した端末装置１の機能を実現するためのコンピュータプログラムをコンピュータ読み取り可能な記録媒体に記録して、この記録媒体に記録されたプログラムをコンピュータシステムに読み込ませ、実行するようにしてもよい。なお、ここでいう「コンピュータシステム」とは、ＯＳや周辺機器等のハードウェアを含むものであってもよい。
また、「コンピュータ読み取り可能な記録媒体」とは、フレキシブルディスク、光磁気ディスク、ＲＯＭ、フラッシュメモリ等の書き込み可能な不揮発性メモリ、ＤＶＤ（Digital Versatile Disk）等の可搬媒体、コンピュータシステムに内蔵されるハードディスク等の記憶装置のことをいう。
【００５０】
さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（例えばＤＲＡＭ（Dynamic Random Access Memory））のように、一定時間プログラムを保持しているものも含むものとする。
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。
また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【符号の説明】
【００５１】
１…端末装置、２…無線通信ネットワーク、３…利用者情報管理サーバ、４…第１アプリケーション提供サーバ、５…第２アプリケーション提供サーバ、６…インターネット、１１…制御部、１２…記憶部、１３…通信部、１４…操作部、１５…表示部、１６…接続部、１７…記録媒体、２０…ホーム画面変更部、２１…ホーム画面構成部、２２…記録データ取得部、２３…記録データ記憶制御部、２４…アプリケーション起動部、２５…アプリケーションインストール部、２６…表示制御部、２７…利用態様取得部、２８…利用態様判定部、３１…ＯＳ、３２…制御プログラム、３３…アプリケーションプログラム、３３ａ…ホーム画面変更アプリケーション、３３ｂ…記録データ記憶制御アプリケーション、３４…データファイル、３４ａ…インストール済みアプリケーション情報ファイル、３４ｂ…未インストールアプリケーション制限情報ファイル、３４ｃ…未インストールアプリケーション取得先情報ファイル、４０…ホーム画面構成情報記録データ、１００，２００…表示画面、１１０，２１０…ホーム画面、Ｇ…アイコン
【図１】
2017049926.tif 000003
【図２】
2017049926.tif 000004
【図３】
2017049926.tif 000005
【図４】
2017049926.tif 000006
【図５】
2017049926.tif 000007
【図６】
2017049926.tif 000008
【図７】
2017049926.tif 000009
【図８】
2017049926.tif 000010
【図９】
2017049926.tif 000011
【図１０】
2017049926.tif 000012
【図１１】
2017049926.tif 000013
【手続補正書】
【提出日】平成29年1月13日(2017.1.13)
【手続補正１】
【補正対象書類名】特許請求の範囲
【補正対象項目名】全文
【補正方法】変更
【補正の内容】
【特許請求の範囲】
【請求項１】
ホーム画面を表示する表示部と、
端末装置の利用者を識別する利用者識別情報と、端末装置の利用態様を示す利用態様情報とを取得する利用態様取得部と、
端末装置のホーム画面の画面構成情報が前記利用者識別情報に関連付けられて、端末装置の利用態様毎に記憶される記憶部から、前記利用態様取得部が取得する前記利用者識別情報と前記利用態様情報とに応じた前記画面構成情報を取得する画面構成取得部と、
アプリケーションのアイコンのホーム画面上の位置を、前記画面構成取得部が取得する前記画面構成情報が示す位置にしてホーム画面を構成するホーム画面構成部と
を備える端末装置。
【請求項２】
端末装置にインストールされているアプリケーションのアイコンの前記ホーム画面上の位置を示すアイコン位置情報を含む記録データであって、前記アイコン位置情報が互いに異なる複数の記録データのうちから、ある記録データの選択操作を受付ける操作受付部
を更に備え、
前記ホーム画面構成部は、
前記複数の記録データのうち、前記操作受付部が受け付けた前記選択操作が示す記録データに含まれる前記アイコン位置情報に基づいて、アプリケーションのアイコンを前記ホーム画面上の位置に配置する
請求項１に記載の端末装置。
【請求項３】
前記利用態様情報とは、自端末装置と他の端末装置との間の通信において自端末装置を示す識別情報に基づく情報であり、
前記利用態様取得部は、前記識別情報に基づく前記利用態様情報を取得する
請求項１又は請求項２に記載の端末装置。
【請求項４】
前記利用態様情報とは、自端末装置の位置を示す位置情報に基づく情報であり、
自端末装置の位置に基づいて、端末装置の利用態様を判定する利用態様判定部
を更に備え、
前記利用態様取得部は、
前記利用態様判定部が判定した利用態様を示す利用態様情報を取得する
請求項１から請求項３のいずれか一項に記載の端末装置。
【請求項５】
前記ホーム画面構成部は、
前記利用態様のうちの第１の利用態様において、アプリケーションが利用可能であるか否かに基づいて、当該アプリケーションのアイコンの表示態様を変更してホーム画面を構成する
請求項１から請求項４のいずれか一項に記載の端末装置。
【請求項６】
前記表示態様には、
前記アイコンの画像の透過度、前記アイコンの画像の形状、及び前記アイコンの画像の色が含まれる
請求項５に記載の端末装置。